(57)【特許請求の範囲】
【請求項１】
液体を満たした貯留槽（１）の上部開口（２）に張設され人体を乗せる可撓膜（３）と、貯留槽（１）に設けた吸入口（４）と吐出口（５）及び循環ポンプ（６）を経由して貯留槽（１）内の液体を循環させる循環配管ライン（７）と、吐出口（５）と連通連結され貯留槽（１）内部に長手方向に移動可能且つ回転可能に構成された噴出ガイド配管（８）とを有し、該噴出ガイド配管（８）を回動させる回動機構（４８）が可撓膜（３）に接触しないように設けられ、噴出ガイド配管（８）の回転中心から偏芯した位置に、可撓膜（３）に向かって液体を噴出する噴出口（９）が設けられ、噴出ガイド配管（８）の上部を噴出口（９）が形成される非突起状の板部（２８）に形成することにより、可撓膜（３）が撓み噴出ガイド配管（８）の上部に接触しても可撓膜（３）を損傷させることなく、且つ噴出ガイド配管（８）の上部が可撓膜（３）に当接した状態であっても噴出ガイド配管（８）を移動可能及び回転可能としたことを特徴とする安全ノズル付き水圧マッサージ機。
【請求項２】
噴出ガイド配管（８）の下部は内部に空洞室（３０）が設けられる歯車部（２９）に形成され、噴出ガイド配管（８）は空洞室（３０）に連通される水路が芯部に形成される軸（３１）によって回動可能に支持されており、循環配管ライン（７）により加圧された液体は、軸（３１）の水路を通り空洞室（３０）を経由し噴出口（９）から可撓膜（３）に向かって噴出されることを特徴とする請求項１記載の安全ノズル付き水圧マッサージ機
【請求項３】
貯留槽（１）の長手方向に設置された回転駆動用シャフト（１３）に軸方向にスライド可能に駆動歯車（１４）を軸着し、該駆動歯車（１４）を、噴出ガイド配管（８）に取着された従動歯車（１２）に噛み合せ、回転駆動用シャフト（１３）を回転させることによって、噴出ガイド配管（８）を回動させることを特徴とする請求項１記載の安全ノズル付き水圧マッサージ機。
【請求項４】
液体噴出位置を貯留槽（１）の長手方向に移動可能とする手段として直動機構（１５）を使用し、直動機構（１５）と、噴出ガイド配管（８）を載設した台車（２５）とを連結する固定構造（１６）において、前記固定構造（１６）は、長手方向以外の方向にあそびをもって台車（２５）に取り付けられることを特徴とする請求項１記載の安全ノズル付き水圧マッサージ機。
【請求項５】
噴出口（９）を非突起状に設け、可撓膜（３）を傷つける可能性のある突出物がない構造、又は、可撓膜（３）を保護する保護部材（１８）を有する構造、又は、噴出口（９）が開設される板部（２８）自体が丸味をもち保護機能を備えている構造としてあることを特徴とする請求項１記載の安全ノズル付き水圧マッサージ機。
【請求項６】
循環配管ライン（７）中にフィルター（１０）を設けてなることを特徴とする請求項１記載の安全ノズル付き水圧マッサージ機。
【請求項７】
噴出口（９）の上流側に整流器（１１）を設け、噴出流を整え直進性を増してなる請求項１記載の安全ノズル付き水圧マッサージ機。
【請求項８】
噴出ガイド配管（８）の板部（２８）に流路（５０）が垂直方向に開設され、該流路（５０）に、整流器（１１）及びテーパー部（４３）が形成され、流路（５０）の出口部分に噴出口（９）が形成されてなることを特徴とする請求項１記載の安全ノズル付き水圧マッサージ機。
【請求項９】
噴出口（９）の内壁に螺旋凸条（４２）が形成され、噴出流を整え直進性を増してなることを特徴とする請求項１記載の安全ノズル付き水圧マッサージ機。
【請求項１０】
複数の噴出ガイド配管（８）ごとに接続した複数のホース（３２）を用いて、複数の噴出ガイド配管（８）を吐出口（５）へ連通連結したことを特徴とする請求項１記載の安全ノズル付き水圧マッサージ機。
【発明の詳細な説明】
【０００１】
【産業上の利用分野】
本発明は、臥姿勢の人体の頚部、体幹及び下肢を、噴流水圧によりマッサージする安全ノズル付き水圧マッサージ機に関する。
【０００２】
【従来の技術】
従来の技術として、特開平８−２５２２９３号公報に、上部開口にシートを水密状に張設した箱形の水槽内部に水または温水を封入してウォーターベッドを構成し、同水槽に吸水口と吐水口とを形成すると共に、同吸水口と吐水口とを循環ポンプを介して連通連結し、吐水口には、前記シートに向けて噴流を発生するノズルを連通連結し、かつ、同ノズルを、水槽の長手方向に往復移動自在、かつ、水槽の横断方向に首振り自在に配設したウォーターベッド式マッサージ機が開示されている。
【０００３】
【発明が解決しようとする課題】
前記の従来の技術は、人体の重みでシートがたわんだ時に、シートとノズルが接触する可能性があるが、その際ノズル先端や、横断（肩幅）方向用ギヤなどの突起物が上面に出ている為、人体やシートを傷つける可能性がある。
【０００４】
又、横断（肩幅）方向用ギヤ構造が複雑でスペースを必要とし、不都合である。更に、ホースがノズルに直接連結されている為、ノズルが回転運動する為にはノズルを軸止したり、ホースの方向を安定させる為にノズルの動作を規制する為の金具が必要になり構造が複雑になる、等の難点がある。
【０００５】
本発明の目的は、上記難点を解決したものであり、構成が簡素で安全な安全ノズル付き水圧マッサージ機を提供することにある。
【０００６】
【課題を解決するための手段】
即ち本発明は、液体を満たした貯留槽（１）の上部開口（２）に張設され人体を乗せる可撓膜（３）と、貯留槽（１）に設けた吸入口（４）と吐出口（５）及び循環ポンプ（６）を経由して貯留槽（１）内の液体を循環させる循環配管ライン（７）と、吐出口（５）と連通連結され貯留槽（１）内部に長手方向に移動可能且つ回転可能に構成された噴出ガイド配管（８）とを有し、該噴出ガイド配管（８）を回動させる回動機構（４８）が可撓膜（３）に接触しないように設けられ、噴出ガイド配管（８）の回転中心から偏芯した位置に、可撓膜（３）に向かって液体を噴出する噴出口（９）が設けられ、噴出ガイド配管（８）の上部を噴出口（９）が形成される非突起状の板部（２８）に形成することにより、可撓膜（３）が撓み噴出ガイド配管（８）の上部に接触しても可撓膜（３）を損傷させることなく、且つ噴出ガイド配管（８）の上部が可撓膜（３）に当接した状態であっても噴出ガイド配管（８）を移動可能及び回転可能としたことを特徴とする安全ノズル付き水圧マッサージ機である。又、噴出ガイド配管（８）の下部は内部に空洞室（３０）が設けられる歯車部（２９）に形成され、噴出ガイド配管（８）は空洞室（３０）に連通される水路が芯部に形成される軸（３１）によって回動可能に支持されており、循環配管ライン（７）により加圧された液体は、軸（３１）の水路を通り空洞室（３０）を経由し噴出口（９）から可撓膜（３）に向かって噴出される。又、貯留槽（１）の長手方向に設置された回転駆動用シャフト（１３）に軸方向にスライド可能に駆動歯車（１４）を軸着し、該駆動歯車（１４）を、噴出ガイド配管（８）に取着された従動歯車（１２）に噛み合せ、回転駆動用シャフト（１３）を回転させることによって、噴出ガイド配管（８）を回動させる。更に、液体噴出位置を貯留槽（１）の長手方向に移動可能とする手段として直動機構（１５）を使用し、直動機構（１５）と、噴出ガイド配管（８）を載設した台車（２５）とを連結する固定構造（１６）において、前記固定構造（１６）は、長手方向以外の方向にあそびをもって台車（２５）に取り付けられる。又、噴出口（９）を非突起状に設け、可撓膜（３）を傷つける可能性のある突出物がない構造、又は、可撓膜（３）を保護する保護部材（１８）を有する構造、又は、噴出口（９）が開設される板部（２８）自体が丸味をもち保護機能を備えている構造としてある。更に、循環配管ライン（７）中にフィルター（１０）を設けてなる。更に又、噴出口（９）の上流側に整流器（１１）を設け、噴出流を整え直進性を増してなる。又、噴出ガイド配管（８）の板部（２８）に流路（５０）が垂直方向に開設され、該流路（５０）に、整流器（１１）及びテーパー部（４３）が形成され、流路（５０）の出口部分に噴出口（９）が形成されてなる。更に、噴出口（９）の内壁に螺旋凸条（４２）が形成され、噴出流を整え直進性を増してなる。更に又、複数の噴出ガイド配管（８）ごとに接続した複数のホース（３２）を用いて、複数の噴出ガイド配管（８）を吐出口（５）へ連通連結する。
【０００７】
【作用】
貯留槽１に液体を満たす。上部開口２に張設した可撓膜３は該可撓膜３に乗せた人体を支持する。貯留槽１に設けた吸入口４と吐出口５、及び循環ポンプ６を経由する循環配管ライン７を、貯留槽１内の液体が循環する。吐出口５と連通連結された噴出ガイド配管８は、貯留槽１内部に長手方向に移動し、且つ、回転する。噴出口９から吐出する水を可撓膜３を介して、人体に衝突させ、人体にマッサージを施す。
【０００８】
貯留槽１の長手方向に設置された回転駆動用シャフト１３に軸着された駆動歯車１４は軸方向にスライドする。駆動歯車１４は回転駆動用シャフト１３と共に回動する。噴出ガイド配管８に取着された従動歯車１２は、駆動歯車１４に噛み合って回動する。回転駆動用シャフト１３を回転させると、駆動歯車１４及び従動歯車１２が回動し、従動歯車１２に取着された噴出ガイド配管８が回転動作する。
【０００９】
直動機構１５は、液体噴出位置を貯留槽１の長手方向に直線移動させる。固定構造１６は、直動機構１５と噴出ガイド配管８を連結する。前記固定構造１６は、長手方向以外の方向にあそびがある構造であって、噴出ガイド配管８の存在位置が正規の位置より多少ずれていても、直動機構１５と固定構造１６との伝導が行なわれ、伝導不良にはならない。
【００１０】
配管構造１７は、循環配管ライン７中の圧力損失を最小限に留める。
【００１１】
噴出口９はその最上面に可撓膜３を傷つける可能性のある突起物がない構造である。非突起状に設けられる噴出口９は、可撓膜３に接触しても該可撓膜３を傷つけない。或いは、噴出口９は可撓膜３を傷つける可能性のある突起物を保護する保護部材１８が取付けられている構造であって、可撓膜３に接触しても該可撓膜３を傷つけない。或いは、噴出口９のケーシング自体が丸味をもち、保護機能を備えている構造であって、可撓膜３に接触しても該可撓膜３を傷つけない。
【００１２】
循環配管ライン７中に設けられたフィルター１０は、循環配管ライン７を流れる水の混入物を濾過する。
【００１３】
噴出口９の上流側に設けられた整流器１１は、噴出流を整え直進性を増す。
【００１４】
噴出ガイド配管８の板部２８に垂直方向に開設された流路５０は、循環ポンプ６で加圧された液体を流通させる。流路５０に形成された整流器１１は、液体を整流する。流路５０に形成されたテーパー部４３は、液体を集中させる。板部２８の上部出口部分の流路５０に形成された噴出口９は、液体を可撓膜３に向けて噴出させ、可撓膜３上の人体に水圧刺激を与える。
【００１５】
噴出ガイド配管８の内壁に形成された螺旋凸条４２は、噴出流を整え直進性を増す。
【００１６】
複数の噴出ガイド配管８ごとに接続した複数のホース３２は、吐出口５から得る加圧液体を、噴出ガイド配管８へ導く。噴出ガイド配管８が機器の長手方向に往復移動する時、ホース３２の先部は噴出ガイド配管８に追従して往復移動し、ホース３２の中部はＵターン状に屈曲しその屈曲位置を変えながら追従移動する。
【００１７】
【実施例】
図１乃至６に本発明の第１実施例を示している。第１実施例は、水を満たす貯留槽１と、貯留槽１内にあって貯留槽１の長手方向（＝臥姿勢人体の身長方向）に移動可能に設けられるノズル機構１９と、ノズル機構１９を貯留槽１の長手方向に移動させる直動機構１５と、ノズル機構１９を水平面に回動させる回動機構４８と、ノズル機構１９に貯留槽１内の水を循環させて加圧付与する循環配管ライン７とからなる。
【００１８】
前記貯留槽１の上部開口２には人体を乗せる可撓膜３が張設され、更に、上部開口２には可撓膜３が撓む位置にその撓みを少なくするベルト２０が張設される。
【００１９】
前記ノズル機構１９は、下部に車輪２４が設けられた台車２５と、台車２５上に立設される噴出ガイド配管８と、噴出ガイド配管８の下に取着される従動歯車１２と、台車２５の左右に垂直方向に取着される軸３１とからなる。軸３１は管材でなり、該軸３１に前記噴出ガイド配管８及び従動歯車１２がベアリング５３を介して回動可能に外嵌される。
【００２０】
前記噴出ガイド配管８は、可撓膜３に向かって水を噴出するものであって、貯留槽１に乗る人体の下方に位置して左右各１個（＝人体肩幅方向に互いに間隔を開けて２個）の左・右噴出ガイド配管８・８を有する。前記噴出ガイド配管８は、上部は板部２８、下部は外周に平歯車が形成される歯車部２９である。歯車部２９の内部には空洞室３０が設けられる。板部２８の回転中心から偏芯した位置に、可撓膜３に向かって液体を噴出する噴出口９が設けられる。尚、歯車部２９の材料には、ステンレスを、又は回転トルクを減らす為に樹脂材を用いる。
【００２１】
図５に、板部２８に設けられた噴出口９が示されている。噴出口９の下部（＝上流側）には漏斗形状にテーパー部４３が形成される。テーパー部４３の下部（＝上流側）には整流器１１が形成される。尚、噴出口９の直ぐ上流側に整流器１１を設け、該整流器１１より上流側にテーパー部４３を設けてもよい。
【００２２】
整流器１１は、板部２８に開設された通水路に、薄板材を水の流通方向に並行に設置したスリットである。整流器１１の水平方向の断面形状は、図６（ａ）に示す対称扇形、図６（ｂ）に示す丸の中に十字形を有する形、図６（ｃ）に示す丸の中に縦に一個の衝立を設けた様な形、図６（ｄ）に示す星形等であり、これらの形状のものを適宜採用する。
【００２３】
従動歯車１２とこれに載設される噴出ガイド配管８は一体化されており軸３１に回動可能に外嵌される。軸３１の芯部には水路が形成されている。噴出ガイド配管８の空洞室３０に軸３１の頂部が突出しており、該頂部には噴出ガイド配管８の抜けを止める止め具３３が取着される。
【００２４】
前記止め具３３は、噴出ガイド配管８の空洞室３０に充満する水が、軸３１の外周から漏れるのを防ぐ機能も有する。軸３１の下部には導水管４９の一端が接続され、該導水管４９は軸３１内の水路に連通する。導水管４９の他端には、循環配管ライン７の吐出口５に繋がるホース３２が接続され、軸３１内の水路に液体を導入する。
【００２５】
貯留槽１の前後壁に渡って回転駆動用シャフト１３が取着され、該回転駆動用シャフト１３の軸方向にスライド可能に駆動歯車１４が軸着される。該駆動歯車１４と前記従動歯車１２が噛合する。回転駆動用シャフト１３には、貯留槽１外において、回動用モーター４４が連結される。回転駆動用シャフト１３の回動に伴い従動歯車１２と共に従動歯車１２の上に設けられた噴出ガイド配管８が回動する。
【００２６】
上述の構成では、従動歯車１２を噴出ガイド配管８の下に設け、従動歯車１２、駆動歯車１４及び回転駆動用シャフト１３等からなる回動機構４８の取り付け位置を低位置に下げ、回動機構４８に可撓膜３が接触しないように構成しているが、回動機構４８を低位置に下げないで、回動機構４８の上にカバー（図示省略）を設けて回動機構４８に可撓膜３が接触しないようにしてもよい。
【００２７】
前記直動機構１５は、貯留槽１の前後壁に渡って取着されるネジ軸２６と、ネジ軸２６の後端（＝臥姿勢人体の足側方向の端）に取着される移動モーター２７とからなる。前記ネジ軸２６に、台車２５に係る雌ネジ体２２が螺合する。
【００２８】
尚、直動機構１５は、上述のネジ軸２６方式を、タイミングベルト方式に又はシリンダ方式等に代えて構成してもよい。
【００２９】
固定構造１６は、基板となる台車２５の裏面に、長手方向に前後して取着される二個の逆L字形片２１と、二個の逆L字形片２１の間にあそびを有して保持される雌ネジ体２２と、雌ネジ体２２を二個の逆L字形片２１に掛止する差込ピン２３とからなる。前記差込ピン２３は、前位置の逆L字形片２１と雌ネジ体２２と後位置の逆L字形片２１の各取り付け穴５１を縫うように挿通する。前記雌ネジ体２２にはネジ軸２６が挿通される。前記二個の逆L字形片２１にはネジ軸２６用の窪み５２が切り欠かれる。
【００３０】
循環配管ライン７は、貯留槽１に設けられ貯留槽１の水を吸水する吸入口４と、貯留槽１に設けられホース３２と接続する箇所である吐出口５と、吸入口４から吐出口５へ向かう配管途中にあって貯留槽１の水を吸水し加圧する循環ポンプ６と、吸入口４と循環ポンプ６の管路途中に設けられ通過水を濾過するフィルター１０と、吐出口５と導水管４９の間を連通する可撓な前記ホース３２と、前記軸３１と、及び噴出口９を有する噴出ガイド配管８とからなる。
【００３１】
尚、フィルター１０は、循環ポンプ６と吐出口５の管路途中に、又は吐出口５と噴出口９の管路途中に設けてもよい。又、図１中、４５は角材でなる縦レール、４６は縦レール４５に接する水平車輪、４７は車輪２４の通路であって貯留槽１に敷かれる水平レールである。縦レール４５及び水平レール４７は貯留槽１の長手方向に設けられる。
【００３２】
実施例を使用する際は、貯留槽１の上部開口２に張設した可撓膜３に人体を乗せ、該可撓膜３で人体を支持する。貯留槽１内に設けられる噴出ガイド配管８は、貯留槽１の長手方向に移動しながら、可撓膜３に向かって水を噴出し、該可撓膜３を介して、人体に噴流水の衝突刺激によるマッサージを施す。
【００３３】
循環配管ライン７中に設けられたフィルター１０は、機器を稼動している時、循環配管ライン７を流れる水の混入物を濾過する。噴出口９直前に設けられた整流器１１は、噴出流を整え直進性を増す。噴出流を整えた後、テーパー部４３で噴出速度を及び直進性を高める。
【００３４】
直動機構１５によって台車２５は前後方向に往復移動させられる。回転駆動用シャフト１３を回動させると、従動歯車１２が回動し、更に、従動歯車１２の上に取着された噴出ガイド配管８が回動する。ネジ軸２６を回動させると、噴出ガイド配管８が貯留槽１の長手及方向に移動する。
【００３５】
即ち、ネジ軸２６を回動させると、液体噴出位置が貯留槽１の長手及方向に移動し、回転駆動用シャフト１３を回動させると、液体噴出位置が回動する。ネジ軸２６及び回転駆動用シャフト１３を同時に回動させると、液体噴出位置が貯留槽１の長手方向及び短手方向に移動する。
【００３６】
上記作動状況下で患者は、マッサージ刺激を受ける部位が身長方向及び肩幅方向に移動し、身体の所望位置のマッサージを得る。固定構造１６は、直動機構１５と噴出ガイド配管８を固定する。前記固定構造１６は、長手方向以外の方向にあそびがある構造であって、噴出ガイド配管８の存在位置が正規の位置より多少ずれていても、直動機構１５と固定構造１６との伝導が行なわれ、伝導不良にはならない。
【００３７】
噴出口９は、その最上面に可撓膜３を傷つける可能性のある突起物がなく、更に、噴出口９の板部２８自体が丸味をもち、保護機能を備えている構造であって、噴出口９又は、板部２８が可撓膜３に接触しても該可撓膜３を傷つけない。
【００３８】
図７に示す第１参考例は、第１実施例の噴出ガイド配管８を、歯車部２９と曲げパイプ３４に代えたものである。第２実施例の循環配管ライン７は、該ライン７中の圧力損失を最小限に留める配管構造１７としている。
【００３９】
図８に示す第２参考例は、第１実施例の噴出ガイド配管８を、歯車部２９と徐々に先細に形成された連続曲げパイプ３５に代えたものである。第３実施例の循環配管ライン７は、該ライン７中の圧力損失を最小限に留める配管構造１７としている。前記連続曲げパイプ３５は噴出口９に近づく程に管径が小さくなっている。本構成による循環配管ライン７は、該ライン７中の圧力損失を最小限に留める配管構造１７としているから、圧力損失を少なくすることで噴出口９からの水の噴出力が強く、より良いマッサージ感を得ることが出来る。また、循環ポンプ６を小型化することが出来、装置の小型化、コストダウンができ、好都合である。
【００４０】
図９、１０に示す第２実施例は、第１実施例の噴出ガイド配管８に係る空洞室３０を、収束部３６を有するチャンバー３７に代えたものである。
【００４１】
図１１、１２に示す第３実施例は、第１実施例の台車２５に、保護部材１８を付加載設したものである。前記保護部材１８は、噴出口９より高位置に周囲を囲った塀部材である。可撓膜３がたるんで噴出口９に接近して来た時、噴出口９に接触する前に可撓膜３を保護部材１８で支え、可撓膜３が噴出口９に当接しないようにし、可撓膜３及び噴出口９の損傷を防ぐ。
【００４２】
図１３、１４に示す第４実施例は、第１実施例の噴出ガイド配管８に開けた噴出口９に、可動式噴出口３９を付加挿設したものである。前記可動式噴出口３９は、板部２８に開設した噴出口９にパイプ材を垂直方向に進退自在に挿入保持してなる。噴出口９には、可動式噴出口３９との接触部にオーリング３８が設けられ、噴出口９に貫通状態にある可動式噴出口３９の上下両端部には上・下抜け止めリング４０ａ・４０ｂが止着される。上抜け止めリング４０ａと板部２８の間には、可動式噴出口３９を上方に付勢するバネ４１が設けられる。
【００４３】
可動式噴出口３９は、通常は板部２８からバネ４１力により突出しているが、可撓膜３等に接触し押し下げられた時は容易に退入し、可撓膜３を傷付けない。又、可動式噴出口３９の頂部は、可撓膜３に傷を付けないように、丸味をもっている。
【００４４】
他の実施例では、バネ４１を設けないものとし、可動式噴出口３９は水圧により上方へ付勢され移動する。可動式噴出口３９が噴出作動中、可撓膜３に接近すると、該可動式噴出口３９は噴出反動で退入し可撓膜３との接触を回避する。
【００４５】
図１５、１６に示す第５実施例は、第１実施例の従動歯車１２を、左右の噴出ガイド配管８のどちらにも取り付けたものに換え、第１実施例の回転駆動用シャフト１３を、左右の従動歯車１２・１２に噛み合うように左右の従動歯車１２・１２の間に設け、第１実施例の歯車部２９を、歯車部分が形成されないものに換えたものである。
【００４６】
第７実施例では、回転駆動用シャフト１３を回動させると左右の従動歯車１２・１２が回動し、左右の従動歯車１２・１２の回動により左右の噴出ガイド配管８・８が回動する。
【００４７】
図１７に示す第６実施例は、第１実施例の噴出口９の内壁に螺旋凸条４２が付加形成されたものである。螺旋凸条４２の作用により、噴出流は整えられ直進性が増す。
【００４８】
【発明の効果】
本発明は、液体を満たした貯留槽１の上部開口２に張設され人体を乗せる可撓膜３と、前記貯留槽１に設けた吸入口４と吐出口５及び循環ポンプ６を経由して前記貯留槽１内の液体を循環させる循環配管ライン７と、前記吐出口５と連通連結され前記貯留槽１内部に長手方向に移動可能且つ回転可能に構成された噴出ガイド配管８とを有し、該噴出ガイド配管８を回動させる回動機構４８が前記可撓膜３に接触しないように設けられ、前記噴出ガイド配管８の回転中心から偏芯した位置に、前記可撓膜３に向かって液体を噴出する噴出口９が設けられ、前記噴出ガイド配管８の上部を前記噴出口９が形成される非突起状の板部２８に形成することにより、前記可撓膜３が撓み前記噴出ガイド配管８の上部に接触しても前記可撓膜３を損傷させることなく、且つ噴出ガイド配管８の上部が前記可撓膜３に当接した状態であっても前記噴出ガイド配管８を移動可能及び回転可能としたものである。
【００４９】
本発明によれば、噴出ガイド配管８の上部が可撓膜３に接触しても可撓膜３が損傷することはなく、更には噴出ガイド配管８の上部が可撓膜３に当接した状態であっても、噴出ガイド配管８の移動及び回転が可能であるから、マッサージがで中断されることもない。又、噴出口９の横移動（＝噴出口９の回動）用の従動歯車１２等が可撓膜３と接触しない位置（＝板部２８より下方位置）に配置できる為、従動歯車１２等が可撓膜３に接触しない。可撓膜３が撓んでも回動機構４８（＝従動歯車１２や回転駆動用シャフト１３等）に接触しないから、可撓膜３上の人に危害を及ぼす心配がなく、不快感を起こさせることもなく、更に、可撓膜３や回動機構４８を傷めることもなく、好都合である。
【００５０】
本発明によれば、噴出ガイド配管８の下部が内部に空洞室３０が設けられる歯車部２９に形成され、噴出ガイド配管８は空洞室３０に連通される水路が芯部に形成される軸３１によって回動可能に支持されており、循環配管ライン７により加圧された液体は、軸３１の水路を通り空洞室３０を経由し噴出口９から可撓膜３に向かって噴出され、ノズル機構１９の噴出口９にホース３２を直に連結しない構造であるから、複数のホース３２の位置関係をキープする構造が不要となる為、ホース３２の配管が簡単になり、コストダウンとなり、故障も少なくなり、好都合である。
【００５１】
又、複数の噴出ガイド配管８や、複数の噴出口９を有する場合には、さらにその有効性が高まり、好都合である。また、ホース３２取り回しに必要なスペースを縮小でき、機器の小型化にも有効であり、好都合である。
【００５２】
本発明は、回転駆動用シャフト１３を回転させることによって、噴出ガイド配管８を回転動作させるものである。上記構成は、回転駆動用シャフト１３から噴出ガイド配管８まで一組の歯車で伝達している為、使用部品点数が減り、コストダウンが期待でき、好都合である。
【００５３】
さらに、歯車部２９の外径よりはるかに小さい外径の従動歯車１３に駆動歯車１４を噛合させており、駆動歯車１４と従動歯車１３のギア比が小さいので、歯車部２９を所定回転数に回転させるに、回転駆動用シャフト１３の回転数は小さくてよい。従って、従動歯車１２や回転駆動用シャフト１３等の耐久性を向上でき、又、回転駆動用シャフト１３と貯留槽１との間のシール部の耐久性を向上でき、更に、従動歯車１３が回動する時の騒音も低減でき、好都合である。
【００５４】
本発明は、液体噴出位置を貯留槽１の長手方向に移動可能とする手段として直動機構１５を使用し、直動機構１５と噴出ガイド配管８の固定構造１６において、前記固定構造１６は、長手方向以外の方向にあそびがある構成である。上記構成には、長手方向以外の方向にあそびがあるので、噴出ガイド配管８を支持する台車２５の位置がずれた場合でも雌ネジ体２２がネジ軸２６に噛み込むこと無く作動し、好都合である。
【００５５】
本発明は、噴出口９を非突起状に設け、可撓膜３を傷つける可能性のある突出物がない構造、又は、可撓膜３を保護する保護部材３８を有する構造、又は、噴出口９が開設される板部２８自体が丸味をもち保護機能を備えている構造としてあるから、可撓膜３を傷つける心配が無く、可撓膜３の耐久性が向上し、好都合である。
【００５６】
又、噴出口９が保護部材３８に保護されており、噴出口９が人体と接触せず人体を打撃することはないので、安全性が向上し、好都合である。
【００５７】
更に、可撓膜３と噴出口９の距離を縮めることができ、機器のコンパクト化が可能となり、コストダウン、少水量化を実現でき、好都合である。
【００５８】
本発明は、循環配管ライン７中にフィルター１０を設けたものであるから、循環配管ライン７を稼動させ水を噴出させ、通常に使用することによって、貯留槽１内のゴミを回収することが出来、循環配管ライン７中の水路の目詰まりが防げ、循環ポンプ６等の機器の耐久性が向上し、好都合である。
【００５９】
また、フィルター１０を外付けした場合は、可撓膜３を取り外すことなく該フィルター１０を交換・清掃が実施できる為、メンテナンス性が向上し、好都合である。
【００６０】
本発明は、噴出口９直前に整流器１１を設けたものであるから、噴出流の直進性が増し、可撓膜３と噴出口９間の距離が長くても十分なマッサージ感を得ることが出来、好都合である。また、循環ポンプ６を小型化することが出来、機器の小型化、コストダウンができ、好都合である。
【００６１】
本発明は、噴出ガイド配管８の板部２８に流路５０が垂直方向に開設され、該流路５０において、下部入口部分に整流器１１が形成され、該整流器１１の上の中部にテーパー部４３が形成され、テーパー部４３の上の上部出口部分に噴出口９が形成されてなるから、整流器１１へ循環ポンプ６で加圧し付与される液体は、整流され集中されて噴出口９から噴出し、該液体によればマッサージ感を向上でき、好都合である。
【００６２】
本発明は、噴出口９の内壁に螺旋凸条４２が形成されたものであるから、噴出流の直進性が増し、十分なマッサージ感を得ることが出来、好都合である。又、例え、可撓膜３と噴出口９間の距離が長くても十分なマッサージ感を得ることが出来る。
【００６３】
本発明は、複数の噴出ガイド配管８ごとに接続したホース３２を用いて、複数の噴出ガイド配管８を吐出口５へ連通連結したものである。この構成によれば、複数のホース３２を用いるので、ホース３２は細いものでよいから、ホース３２の曲げ半径を小さくでき、取り回しが容易であり、ホース３２の占有スペースを小さくでき、好都合である。
【００６４】
ノズル機構１９の近くは、狭小であり配管抵抗を小さくする分岐管（図示省略）を構成することは困難であるが、本件発明では前記分岐管を設けず、吐出口５近辺の適宜位置で配管抵抗を小さくして分岐し、分岐された複数のホース３２を噴出ガイド配管８に接続するので、配管抵抗を低く押さえる構成が容易に取れ、好都合である。
【図面の簡単な説明】
【図１】本発明の第１実施例のノズル機構を示す短手方向垂直断面図である。
【図２】本発明の第１実施例のノズル機構を示す部分平面図である。
【図３】本発明の第１実施例の長手方向垂直断面図である。
【図４】本発明の第１実施例の固定構造を示す部分図である。
【図５】本発明の第１実施例の噴出口を示す部分断面図である。
【図６】本発明の第１実施例の整流器の形状を示す断面図である。
【図７】本発明の第１参考例を示す部分図である。
【図８】本発明の第２参考例を示す部分図である。
【図９】本発明の第２実施例を示す部分断面図である。
【図１０】本発明の第２実施例を示す部分平面図である。
【図１１】本発明の第３実施例の保護部材を示す部分断面図である。
【図１２】本発明の第３実施例の保護部材を示す部分平面図である。
【図１３】本発明の第４実施例を示す部分断面図である。
【図１４】本発明の第４実施例を示す部分断面図である。
【図１５】本発明の第５実施例を示す部分平面図である。
【図１６】本発明の第５実施例を示す部分側面図である。
【図１７】本発明の第６実施例の螺旋凸条を示す部分断面図である。
【符号の説明】
１  貯留槽
２  上部開口
３  可撓膜
４  吸入口
５  吐出口
６  循環ポンプ
７  循環配管ライン
８  噴出ガイド配管
９  噴出口
１０  フィルター
１１  整流器
１２  縦動歯車
１３  回転駆動用シャフト
１４  駆動歯車
１５  直動機構
１６  固定構造
１７  配管構造
２８  板部
３２  ホース
３８  保護部材
４２  螺旋凸条
４３  テーパー部
４８  回動機構
【図１】
0004103982.tif 000002
【図２】
0004103982.tif 000003
【図３】
0004103982.tif 000004
【図４】
0004103982.tif 000005
【図５】
0004103982.tif 000006
【図６】
0004103982.tif 000007
0004103982.tif 000008
0004103982.tif 000009
0004103982.tif 000010
【図７】
0004103982.tif 000011
【図８】
0004103982.tif 000012
【図９】
0004103982.tif 000013
【図１０】
0004103982.tif 000014
【図１１】
0004103982.tif 000015
【図１２】
0004103982.tif 000016
【図１３】
0004103982.tif 000017
【図１４】
0004103982.tif 000018
【図１５】
0004103982.tif 000019
【図１６】
0004103982.tif 000020
【図１７】
0004103982.tif 000021